(57)【要約】【課題】放熱効率の低下を防ぎ有効に放熱可能な放熱モジュールを提供する。【解決手段】第一放熱部材１と一第二放熱部材２とを含む。第一放熱部材１は第二放熱部材２の上に設けられている。且つ第一放熱部材１の上には第一放熱ファン３が設けられている。第二放熱部材２の一端には第二放熱ファン４が設けられ、これにより、第一放熱ファン３と第二放熱ファン４とが、別々に前記第一放熱部材１と第二放熱部材２とのなかのエアを流動させる。第一放熱部材１は、多数の並列している放熱フィン１１から構成され、各放熱フィン１１の間には、第一放熱空間１２を形成する。第二放熱部材２は、底部には底板２１を有し、且つ頂面には少なくとも流れ案内面２２を有し、第二放熱空間２３を形成する。案内面２２により第一放熱空間１２と第二放熱空間２３の間のエアの流れを案内する。【選択図】　　図２
0003096950.tif 000002
【実用新案登録請求の範囲】
【請求項１】
第一放熱部材と第二放熱部材とを含む放熱モジュールの構造であって、
前記第一放熱部材は、多数の並列している放熱フィンから構成され、前記各放熱フィンの間には、第一放熱空間を形成するように、それぞれ同じギャップを有し、且つ前記各放熱フィンの底部は別々に第二放熱部材の頂面に固定され、なお、前記第二放熱部材の内部には第二放熱空間を有し、且つ前記第二放熱空間の頂面には、傾斜して底部へ伸びる流れ案内面が少なくとも一つ設けられ、前記第一放熱部材の各前記放熱フィンの底部は、前記流れ案内面に固定するために、別々に前記流れ案内面に合う形状を備えることを特徴とする放熱モジュールの構造。
【請求項２】
第一放熱ファンを固定するために、前記第一放熱部材の前記各放熱フィンの頂端にはフレームを設けていることを特徴とする請求項１に記載の放熱モジュールの構造。
【請求項３】
前記各放熱フィンは、前記第二放熱部材の長手方向に沿って並列に配置したことを特徴とする請求項１に記載の放熱モジュールの構造。
【請求項４】
前記第二放熱部材の頂面には二流れ案内面を有し、前記各流れ案内面は、前記第二放熱部材の頂面の中央から両側へ下向きに傾斜して伸び、やや窪んだ表面を形成していることを特徴とする請求項１に記載の放熱モジュールの構造。
【請求項５】
前記第二放熱部材の底部には底板を有し、前記第二放熱空間を形成するように、前記底板と前記流れ案内面との間は、両端が貫通した状態であり、且つ前記第二放熱空間の一端の開口には、第二放熱ファンが設けられていることを特徴とする請求項１に記載の放熱モジュールの構造。
【請求項６】
前記第二放熱部材の第二放熱空間内には多数の放熱フィンを設けており、且つ前記放熱フィンの設置する方向は前記第一放熱部材の放熱フィンと垂直であることを特徴とする請求項１に記載の放熱モジュールの構造。
【考案の詳細な説明】
【０００１】
【考案の属する技術分野】
本考案は、放熱モジュールの構造に関する。
【０００２】
【従来の技術】
図６に示すように、従来の放熱モジュールは台座６を有し、前記台座６には多数の並列した放熱フィン６１が設けられ、なお、エアを流通するために、各放熱フィン６１の間には別々にギャップ６２を有する。上記構成を有する放熱モジュールを放熱必要な部材（例えば、パソコンのＣＰＵまたは熱伝導リード）に組み付け、また、放熱ファン７を前記放熱モジュールに組み付け、前記放熱ファン７により、エアを各放熱フィン６１のギャップ６２のなかに流動させ、台座６まで伝導されてきた熱を放熱可能とする。
【０００３】
【考案が解決しようとする課題】
従来の放熱モジュールは、次のような欠点があった。
上記放熱モジュールの台座６は一平面であるので、放熱ファン７が運転している際に、駆動されたエアが台座６に着くと、反発の圧力が発生するため、エアが各放熱フィン６１の間のギャップ６２のなかに環流を形成し、放熱効率が低下し、放熱フィン６１まで伝導されてきた熱が有効に放熱できなかった。
【０００４】
したがって本考案の目的は、放熱効率の低下を防ぎ有効に放熱可能な放熱モジュールを提供することにある。
【０００５】
【課題を解決するための手段】
上述の目的を達成するために本考案の請求項１に記載の放熱モジュールの構造は、第一放熱部材と第二放熱部材とを含む放熱モジュールの構造であって、前記第一放熱部材は、多数の並列している放熱フィンから構成され、前記各放熱フィンの間には、第一放熱空間を形成するように、それぞれ同じギャップを有する。且つ前記各放熱フィンの底部は別々に第二放熱部材の頂面に固定される。前記第二放熱部材の内部には第二放熱空間を有し、且つ前記第二放熱空間の頂面には、傾斜して底部へ伸びる流れ案内面が少なくとも一つを有する。前記第一放熱部材の各前記放熱フィンの底部は、前記流れ案内面に固定するために、別々に前記流れ案内面に合う形状を持っている。
【０００６】
本考案の請求項２記載の放熱モジュールの構造は、第一放熱ファンを固定するために、前記第一放熱部材の前記各放熱フィンの頂端にはフレームを設けている。
【０００７】
本考案の請求項３記載の放熱モジュールの構造は、前記各放熱フィンは、前記第二放熱部材の長手方向に沿って並列に配置されている。
【０００８】
本考案の請求項４記載の放熱モジュールの構造は、前記第二放熱部材の頂面に二流れ案内面を有する。前記各流れ案内面は、前記第二放熱部材の頂面の中央から両側へ下向きに傾斜して伸び、やや窪んだ表面を形成している。
【０００９】
本考案の請求項５記載の放熱モジュールの構造は、前記第二放熱部材の底部には底板を有する。前記第二放熱空間を形成するように、前記底板と前記流れ案内面との間は、両端が貫通した状態である。且つ前記第二放熱空間の一端の開口には、第二放熱ファンが設けている。
【００１０】
本考案の請求項６記載の放熱モジュールの構造は、前記第二放熱部材の第二放熱空間内には多数の放熱フィンを設け、且つ前記放熱フィンの設置する方向は前記第一放熱部材の放熱フィンと垂直である。
【００１１】
【考案の実施の形態】
以下、本考案を図面に基づいて説明する。
図１から図３に示すように、本実施例による放熱モジュールの構造は、第一放熱部材１と一第二放熱部材２とを含む。前記第一放熱部材１は前記第二放熱部材２の上に設けられ、且つ前記第一放熱部材１の上には第一放熱ファン３が設けられている。前記第二放熱部材２の一端には第二放熱ファン４が設けられ、これにより、前記第一放熱ファン３と第二放熱ファン４とが、別々に前記第一放熱部材１と第二放熱部材２とのなかのエアを流動させる。
【００１２】
前記第一放熱部材１は、多数の並列している放熱フィン１１から構成され、前記各放熱フィン１１の間には、第一放熱空間１２を形成するように、それぞれ同じギャップを有する。且つ前記各放熱フィン１１の底部は別々に第二放熱部材２の頂面に固定さる。第一放熱ファン３を固定するために、前記第一放熱部材１の前記各放熱フィン１１の頂端にはフレーム１３を設けている。
【００１３】
前記第二放熱部材２は、底部には底板２１を有し、且つ頂面には少なくとも流れ案内面２２を有する。本実施例では、前記第二放熱部材２の頂面には二流れ案内面２２を有し、前記各流れ案内面２２は、前記第二放熱部材２の頂面の中央から両側へ下向きに傾斜して前記底板２１まで伸び、やや窪んだ表面を形成している。前記第一放熱部材１の前記各放熱フィン１１の底部は、前記流れ案内面２２に固定するために、別々に前記流れ案内面２２に合う形状を有する。また、前記第二放熱空間２３を形成するように、前記底板２１と前記流れ案内面２２との間は、両端が貫通した状態である。前記第二放熱空間２３の一端の開口には、前記第二放熱ファン４が設けられている。第二放熱空間２３のなかには多数の放熱フィン２４が設けられ、且つ前記放熱フィン２４の設置する方向は前記第一放熱部材１の放熱フィン１１と垂直である。
【００１４】
これにより、上記構成の放熱モジュールを放熱必要な部材（例えば、パソコンのＣＰＵまたは熱伝導リード）に組み付けることが可能である。本実施例では、前記放熱モジュールを、前記第二放熱部材２の底板２１をパソコンのＣＰＵ５に取り付けて、前記第一放熱ファン３と第二放熱ファン４とにより、エアを別々に前記第一放熱部材１と第二放熱部材２との第一放熱空間１２と第二放熱空間２３の内部で流動させ、前記第二放熱部材２の底板２１まで伝導されてきた熱を放熱する。
【００１５】
【考案の効果】
この考案は次のような効果がある。
（イ）第二放熱部材２の頂面には、エアを案内するための流れ案内面２２を有するので、第一放熱部材１の第一放熱空間１２内のエアは第一放熱ファン３の駆動により、エアが流れ案内面２２に沿って外側へ流出し、エアが第一放熱空間１２のなかで環流を形成せず、ひいては、図４に示すように、第二放熱部材２から各放熱フィン１１まで伝導されてきた熱を有効に放熱し、温度を低減することが可能である。
【００１６】
（ロ）図５に示すように、第二放熱部材２のなかには第二放熱空間２３を有し、且つ前記第二放熱空間２３のなかには多数の放熱フィン２４を設けているので、前記第二放熱部材２の底板２１から伝導されてきた熱は、前記第二放熱空間２３と第二放熱ファン４とにより放熱してから、また第一放熱部材１により残った熱を放熱するため、二重の放熱効果が得られる。
【図面の簡単な説明】
【図１】本考案の一実施例による放熱モジュールの構造を示す外観の斜視図である。
【図２】本考案の一実施例による放熱モジュールの構造を示す分解状態の斜視図である。
【図３】本実施例による放熱モジュールをＣＰＵに実装した状態を示す概略図である。
【図４】本実施例による第二放熱部材の流れ案内面が第一放熱空間内のエアを案内する状態を示す概略図である。
【図５】本実施例による第二放熱放熱ファンが第二放熱部材の第二放熱空間内のエアを駆動して流動させる状態を示す概略図である。
【図６】従来の放熱モジュールを示す概略図である。
【符号の説明】
１　　第一放熱部材
２　　第二放熱部材
３　　第一放熱ファン
４　　第二放熱ファン
５　　ＣＰＵ
１１　　放熱フィン
１２　　第一放熱空間
１３　　フレーム
２１　　底板
２２　　流れ案内面
２３　　第二放熱空間
２４　　放熱フィン
【図１】
0003096950.tif 000003
【図２】
0003096950.tif 000004
【図３】
0003096950.tif 000005
【図４】
0003096950.tif 000006
【図５】
0003096950.tif 000007
【図６】
0003096950.tif 000008